(57)【特許請求の範囲】
【請求項１】
電気エネルギを供給する電源手段と、
前記電源手段から供給される電気エネルギによって作動し、駆動信号を出力する駆動制御手段と、
前記駆動信号を受けて駆動される被駆動手段と、
前記被駆動手段を駆動させることにより、時間表示を行う時刻表示手段と、
予め設定された条件に基づいて前記被駆動手段の動作モードを、通常の駆動を行う駆動モードと節電モードとに切換えるモード切換手段と、
前記電源手段から供給される電気エネルギの量を検出する電気エネルギ量検出手段と、
前記モード切換手段によって前記被駆動手段の動作モードを駆動モードから節電モードに移行するに際し、前記電気エネルギ量検出手段が検出した電気エネルギ量を表示するエネルギ残量表示手段と、
を具備し、前記電気エネルギ量検出手段は、前記電源手段のエネルギ量を監視し、前記エネルギ残量表示手段における表示を更新することを特徴とする電子時計。
【請求項２】
電気エネルギを供給する電源手段と、
前記電源手段から供給される電気エネルギによって作動し、駆動信号を出力する駆動制御手段と、
前記駆動信号を受けて駆動される被駆動手段と、
前記被駆動手段を駆動させることにより、時間表示を行う時刻表示手段と、
予め設定された条件に基づいて前記被駆動手段の動作モードを、通常の駆動を行う駆動モードと節電モードとに切換えるモード切換手段と、
前記電源手段から供給される電気エネルギの量を検出する電気エネルギ量検出手段と、
前記モード切換手段によって前記被駆動手段の動作モードを駆動モードから節電モードに移行するに際し、前記電気エネルギ量検出手段が検出した電気エネルギ量を前記時刻表示手段を用いて表示するエネルギ残量表示手段と、
を具備し、前記電気エネルギ量検出手段は、前記電源手段のエネルギ量を監視し、前記エネルギ残量表示手段における表示を更新することを特徴とする電子時計。
【請求項３】
電気エネルギを供給する電源手段と、
前記電源手段から供給される電気エネルギによって作動し、駆動信号を出力する駆動制御手段と、前記駆動信号を受けて駆動される被駆動手段と、
前記被駆動手段を駆動させることにより、時間表示を行う時刻表示手段と、
前記被駆動手段によって駆動され、日付表示を行う日付表示手段と、
予め設定された条件に基づいて前記被駆動手段の動作モードを、通常の駆動を行う駆動モードと節電モードとに切換えるモード切換手段と、
前記電源手段から供給される電気エネルギの量を検出する電気エネルギ量検出手段と、
前記モード切換手段によって前記被駆動手段の動作モードを駆動モードから節電モードに移行するに際し、前記電気エネルギ量検出手段が検出した電気エネルギ量を前記日付表示手段を用いて表示するエネルギ残量表示手段と、
を具備し、前記電気エネルギ量検出手段は、前記電源手段のエネルギ量を監視し、前記エネルギ残量表示手段における表示を更新することを特徴とする電子時計。
【請求項４】
電気エネルギを供給する電源手段と、
前記電源手段から供給される電気エネルギによって作動し、駆動信号を出力する駆動制御手段と、
前記駆動信号を受けて駆動される被駆動手段と、
前記被駆動手段によって駆動され、時間の表示を行う時刻表示手段と、
前記被駆動手段によって駆動され、日付表示を行う日付表示手段と、
予め設定された条件に基づいて前記被駆動手段の動作モードを、通常の駆動を行う駆動モードと節電モードとに切換えるモード切換手段と、
前記電源手段から供給される電気エネルギの量を検出する電気エネルギ量検出手段と、
を備え、
前記日付表示手段には、前記モード切換手段によって前記被駆動手段の動作モードを駆動モードから節電モードに移行するに際し、前記日付表示手段による日付表示態様と異なる表示態様で前記電気エネルギ量検出手段が検出した電気エネルギ量を表示するエネルギ残量表示手段を有し、前記電気エネルギ量検出手段は、前記電源手段のエネルギ量を監視し、前記エネルギ残量表示手段における表示を更新することを特徴とする電子時計。
【請求項５】
請求項１，２，３または４記載の電子時計において、
前記電源手段は、外部エネルギを電気エネルギに変換する発電手段と、
前記発電手段から供給される電気エネルギを蓄えて、電気エネルギを前記駆動制御手段に向けて供給する蓄電手段とを備え、
前記蓄電手段には、前記蓄電手段の蓄電容量を検出する蓄電容量検出手段を設け、前記エネルギ残量表示手段によって表示されるエネルギ残量は、前記蓄電容量検出手段によって検出される蓄電容量とすることを特徴とする電子時計。
【請求項６】
請求項１，２，３または４記載の電子時計において、
前記電源手段は、外部エネルギを電気エネルギに変換する発電手段と、
前記発電手段から供給される電気エネルギを蓄える蓄電手段と、
前記蓄電手段に蓄えられた電気エネルギを昇降圧させる昇降圧手段とを備え、
前記昇降圧手段には、前記昇降圧手段から出力される電気エネルギ量を検出する電気エネルギ量検出手段を設け、
前記エネルギ残量表示手段によって表示されるエネルギ残量は、前記電気エネルギ量検出手段によって検出される電気エネルギ量とすることを特徴とする電子時計。
【請求項７】
請求項１，２，３または４記載の電子時計において、
前記電源手段は、外部エネルギを電気エネルギに変換する発電手段と、
前記発電手段から供給される電気エネルギを蓄えて、電気エネルギを前記駆動制御手段に向けて供給する蓄電手段とを備え、
前記発電手段には、前記発電手段が発電状態にあるか否かを検出する発電状態検出手段を設け、
前記条件は、前記発電状態検出手段によって前記発電手段が発電状態にあることを検出したか否かであることを特徴とする電子時計。
【請求項８】
請求項７記載の電子時計において、
前記発電状態検出手段は、前記発電手段から出力される電気エネルギの量が判定エネルギ量を超えたか否かを判定するエネルギ量判定手段と、
前記エネルギ量判定手段によって電気エネルギ量が判定エネルギ量を超えていると判定された状態の継続時間が判定時間値を越えているか否かを判定する発電時間判定手段とを備えることを特徴とする電子時計。
【請求項９】
請求項１，２，３または４記載の電子時計において、
前記駆動制御手段は、前記電源手段から供給される電気エネルギによって作動し制御信号を出力する制御回路と、
前記電源手段から供給される電気エネルギによって作動し前記制御回路から出力される制御信号を受けて駆動信号を前記被駆動手段に向けて出力する駆動回路とによって構成し、
前記モード切換手段は、前記駆動モードにおいては前記制御回路と駆動回路とに電気エネルギを供給し、節電モードにおいては前記制御回路にのみ電気エネルギを供給することを特徴とする電子時計。
【請求項１０】
請求項１，２，３または４記載の電子時計において、
前記電子時計が携帯状態にあるか否かを検出する携帯状態検出手段を設け、
前記条件は、前記被駆動手段の動作モードを前記駆動モードから前記節電モードに切換える際には、前記携帯状態検出手段によって前記電子時計が非携帯状態にあることを検出し、電子時計が非携帯状態にある時間が所定時間を経過したか否かであり、前記被駆動手段の動作モードを前記節電モードから前記駆動モードに切換える際には、前記携帯状態検出手段によって電子時計が非携帯状態から携帯状態に切換ったか否かであることを特徴とする電子時計。
【請求項１１】
請求項１，２または３記載の電子時計において、
前記エネルギ残量表示手段は、予め定められた残量表示態様として表示することを特徴とする電子時計。
【請求項１２】
請求項１，２，３または４記載の電子時計において、
前記駆動制御手段には、モード切換手段によって節電モードから駆動モードに切換わるとき、時刻表示を現時刻に復帰させるための復帰動作を行う現時刻復帰手段を備えることを特徴とする電子時計。
【請求項１３】
請求項４記載の電子時計において、
前記日付表示手段には、前記モード切換手段によって前記被駆動手段の動作モードを駆動モードから節電モードに移行するに際し、
前記日付表示手段は、１から１０の数字を用いて前記電気エネルギ量検出手段が検出した電気エネルギ量を表示することを特徴とする電子時計。
【請求項１４】
電気エネルギを供給する電源ユニットと、前記電源ユニットから供給される電気エネルギによって作動され、駆動信号を出力する駆動制御ユニットと、前記駆動制御ユニットから出力される駆動信号を受けて駆動される被駆動ユニットと、前記被駆動ユニットによって駆動され、時刻表示を行う時刻表示機構と、前記電源ユニットから供給される電気エネルギの量を検出するとともに前記エネルギの量を監視する電気エネルギ量検出装置とを有する電子時計の制御方法であって、
予め設定された条件に基づいて前記被駆動ユニットのモードを、通常の駆動を行う駆動モードと節電モードとに切換えるモード切換工程と、
前記モード切換工程によって少なくとも前記被駆動ユニットの動作モードが駆動モードから節電モードに移行するに際し、前記電気エネルギ量検出装置によって検出され、かつ監視される電気エネルギ量を表示するとともに、その表示を更新するエネルギ残量表示工程と、
を具備することを特徴とする電子時計の制御方法。
【請求項１５】
電気エネルギを供給する電源ユニットと、前記電源ユニットから供給される電気エネルギによって作動され、駆動信号を出力する駆動制御ユニットと、前記駆動制御ユニットから出力される駆動信号を受けて駆動される被駆動ユニットと、前記被駆動ユニットによって駆動され、時刻表示を行う時刻表示機構と、前記電源ユニットから供給される電気エネルギの量を検出するとともに前記エネルギの量を監視する電気エネルギ量検出装置とを有する電子時計の制御方法であって、
予め設定された条件に基づいて前記被駆動ユニットのモードを、通常の駆動を行う駆動モードと節電モードとに切換えるモード切換工程と、
前記モード切換工程によって少なくとも前記被駆動ユニットの動作モードが駆動モードから節電モードに移行するに際し、前記電気エネルギ量検出装置によって検出され、かつ監視される電気エネルギ量を前記時刻表示機構を用いて表示するとともに、その表示を更新するエネルギ残量表示工程と、
を具備することを特徴とする電子時計の制御方法。
【請求項１６】
電気エネルギを供給する電源ユニットと、前記電源ユニットから供給される電気エネルギによって作動され、駆動信号を出力する駆動制御ユニットと、前記駆動制御ユニットから出力される駆動信号を受けて駆動される被駆動ユニットと、前記被駆動ユニットによって駆動され、時刻表示を行う時刻表示機構と、前記被駆動ユニットによって駆動され、前記時刻表示機構による時間表示に加えて日付の表示を行う日付表示機構と、前記電源ユニットから供給される電気エネルギの量を検出するとともに前記エネルギの量を監視する電気エネルギ量検出装置とを有する電子時計の制御方法であって、
予め設定された条件に基づいて前記被駆動ユニットのモードを、通常の駆動を行う駆動モードと節電モードとに切換えるモード切換工程と、
前記モード切換工程によって少なくとも前記被駆動ユニットの動作モードが駆動モードから節電モードに移行するに際し、前記電気エネルギ量検出装置によって検出され、かつ監視される電気エネルギ量を前記日付表示機構を用いて表示するとともに、その表示を更新するエネルギ残量表示工程と、
を具備することを特徴とする電子時計の制御方法。
【請求項１７】
電気エネルギを供給する電源ユニットと、前記電源ユニットから供給される電気エネルギによって作動され、駆動信号を出力する駆動制御ユニットと、前記駆動制御ユニットから出力される駆動信号を受けて駆動される被駆動ユニットと、前記被駆動ユニットによって駆動され、時間表示を行う時刻表示機構と、前記被駆動ユニットによって駆動され、前記時刻表示機構による時間表示に加えて数字による日付の表示を行う日付表示機構と、前記電源ユニットから供給される電気エネルギの量を検出するとともに前記エネルギの量を監視する電気エネルギ量検出装置とを有する電子時計の制御方法であって、
予め設定された条件に基づいて前記被駆動ユニットのモードを、通常の駆動を行う駆動モードと節電モードとに切換えるモード切換工程と、
前記モード切換工程によって少なくとも前記被駆動ユニットの動作モードが駆動モードから節電モードに移行するに際し、前記電気エネルギ量検出装置によって検出され、かつ監視される電気エネルギ量を前記日付表示機能で使用される日付用の数字とは異なった数字を用いて表示するとともに、その表示を更新するエネルギ残量表示工程と、
を具備することを特徴とする電子時計の制御方法。
【請求項１８】
請求項１４，１５，１６，または１７記載の電子時計の制御方法において、
前記電源ユニットは、外部エネルギを電気エネルギに変換する発電装置と、前記発電装置から供給される電気エネルギを蓄えて、電気エネルギを供給する蓄電装置とを具備し、
前記蓄電装置の蓄電容量を検出する蓄電容量検出工程を設け、
前記エネルギ残量表示工程によって表示されるエネルギ残量は、前記蓄電容量検出工程において検出される蓄電容量とすることを特徴とする電子時計の制御方法。
【請求項１９】
請求項１４，１５，１６，または１７記載の電子時計の制御方法において、
前記電源ユニットは、外部エネルギを電気エネルギに変換する発電装置と、前記発電装置から供給される電気エネルギを蓄えて、電気エネルギを供給する蓄電装置と、前記蓄電装置から出力される電気エネルギを昇降圧させる昇降圧回路とを具備し、
前記昇降圧回路から出力される電気エネルギ量を検出する電気エネルギ量検出工程を設け、前記エネルギ残量表示工程によって表示されるエネルギ残量は、前記電気エネルギ量検出工程において検出される電気エネルギ量とすることを特徴とする電子時計の制御方法。
【発明の詳細な説明】
【０００１】
【発明の属する技術分野】
本発明は、電子時計及び電子時計の制御方法に係り、特に電源手段のエネルギ残量を表示する電子時計及び電子時計の制御方法に関する。
【０００２】
【従来の技術】
近年、腕時計式の電子時計には電源手段が内蔵され、この電源手段は、回転錘を有する発電装置と、該発電装置から発生する電気エネルギを貯める蓄電手段（大容量コンデンサ）とによって大略構成されている。そして、この種の電子時計は、コンデンサから放電される電気エネルギを用いて時刻表示ユニットで時刻表示を行うことにより、電池交換を行うことなく、長時間に亘って時計の動作を行うものである。
【０００３】
【発明が解決しようとする課題】
このように発電装置を有する電源手段を内蔵した電子時計は、安定した電気エネルギを長時間に亘って供給するため、発電装置が所定時間の以上に非発電状態または非携帯状態を継続した場合、またはユーザによる強制的なモード切換えがあった場合には、これらの状態を検出して、当該電子時計のモードを、時刻表示を行う駆動モード（表示モード）から時刻表示を行わない節電モードに切換えるようにしていた。例えば、アナログ時計においては、指針の駆動を停止するようにしていた。
【０００４】
ところで、この節電モードでは時刻表示を行っていないものの、現時刻をカウントするために駆動制御回路の一部には電気エネルギが供給されている。このため、節電モードであっても電気エネルギは消費されており、ユーザは節電モードにあるときに電源手段における電気エネルギの残量を知ることができず、節電モードの状態を維持できる期間を把握することができないという問題がある。
【０００５】
また、節電モードを長時間に亘って実行し、電源手段の蓄電手段に蓄えられた電気エネルギが少なくなってしまっている状態のときに、時刻表示ユニットの動作モードを、節電モードから表示モードに切換えた場合には、時刻表示ユニットを駆動するために必要な電気エネルギを電源手段に蓄える時間が必要となり、時刻表示ユニットが直ぐに駆動しないこともある。このような場合、ユーザは、電子時計が故障していると思い込んでしまう虞れがある。
【０００６】
さらに、従来技術による電子時計では、ユーザ自身が電源手段の電気エネルギ量を任意に確認することもできなかった。
【０００７】
本発明は、上述した事情に鑑みてなされたものであり、電源手段の電気エネルギ量を表示することのできる電子時計及ぶ電子時計の制御方法を提供することにある。
【０００８】
【課題を解決するための手段】
上記課題を解決するため、請求項１記載の発明は、電気エネルギを供給する電源手段と、前記電源手段から供給される電気エネルギによって作動し、駆動信号を出力する駆動制御手段と、前記駆動信号を受けて駆動される被駆動手段と、前記被駆動手段を駆動させることにより、時間表示を行う時刻表示手段と、予め設定された条件に基づいて前記被駆動手段の動作モードを、通常の駆動を行う駆動モードと節電モードとに切換えるモード切換手段と、前記電源手段から供給される電気エネルギの量を検出する電気エネルギ量検出手段と、前記モード切換手段によって前記被駆動手段の動作モードを駆動モードから節電モードに移行するに際し、前記電気エネルギ量検出手段が検出した電気エネルギ量を表示するエネルギ残量表示手段と、を具備し、前記電気エネルギ量検出手段は、前記電源手段のエネルギ量を監視し、前記エネルギ残量表示手段における表示を更新することを特徴とする。
【０００９】
請求項２に記載の発明は、電気エネルギを供給する電源手段と、前記電源手段から供給される電気エネルギによって作動し、駆動信号を出力する駆動制御手段と、前記駆動信号を受けて駆動される被駆動手段と、前記被駆動手段を駆動させることにより、時間表示を行う時刻表示手段と、予め設定された条件に基づいて前記被駆動手段の動作モードを、通常の駆動を行う駆動モードと節電モードとに切換えるモード切換手段と、前記電源手段から供給される電気エネルギの量を検出する電気エネルギ量検出手段と、前記モード切換手段によって前記被駆動手段の動作モードを駆動モードから節電モードに移行するに際し、前記電気エネルギ量検出手段が検出した電気エネルギ量を前記時刻表示手段を用いて表示するエネルギ残量表示手段と、を具備し、前記電気エネルギ量検出手段は、前記電源手段のエネルギ量を監視し、前記エネルギ残量表示手段における表示を更新することを特徴とする。
【００１０】
請求項３に記載の発明は、電気エネルギを供給する電源手段と、  前記電源手段から供給される電気エネルギによって作動し、駆動信号を出力する駆動制御手段と、前記駆動信号を受けて駆動される被駆動手段と、前記被駆動手段を駆動させることにより、時間表示を行う時刻表示手段と、前記被駆動手段によって駆動され、日付表示を行う日付表示手段と、予め設定された条件に基づいて前記被駆動手段の動作モードを、通常の駆動を行う駆動モードと節電モードとに切換えるモード切換手段と、前記電源手段から供給される電気エネルギの量を検出する電気エネルギ量検出手段と、前記モード切換手段によって前記被駆動手段の動作モードを駆動モードから節電モードに移行するに際し、前記電気エネルギ量検出手段が検出した電気エネルギ量を前記日付表示手段を用いて表示するエネルギ残量表示手段と、を具備し、前記電気エネルギ量検出手段は、前記電源手段のエネルギ量を監視し、前記エネルギ残量表示手段における表示を更新することを特徴とする。
【００１１】
請求項４記載の発明は、電気エネルギを供給する電源手段と、前記電源手段から供給される電気エネルギによって作動し、駆動信号を出力する駆動制御手段と、前記駆動信号を受けて駆動される被駆動手段と、前記被駆動手段によって駆動され、時間の表示を行う時刻表示手段と、前記被駆動手段によって駆動され、日付表示を行う日付表示手段と、予め設定された条件に基づいて前記被駆動手段の動作モードを、通常の駆動を行う駆動モードと節電モードとに切換えるモード切換手段と、前記電源手段から供給される電気エネルギの量を検出する電気エネルギ量検出手段と、を備え、前記日付表示手段には、前記モード切換手段によって前記被駆動手段の動作モードを駆動モードから節電モードに移行するに際し、前記日付表示手段による日付表示態様と異なる表示態様で前記電気エネルギ量検出手段が検出した電気エネルギ量を表示するエネルギ残量表示手段を有し、前記電気エネルギ量検出手段は、前記電源手段のエネルギ量を監視し、前記エネルギ残量表示手段における表示を更新することを特徴とする。
【００１２】
請求項５に記載の発明は、請求項１，２，３または４記載の電子時計において、前記電源手段は、外部エネルギを電気エネルギに変換する発電手段と、前記発電手段から供給される電気エネルギを蓄えて、電気エネルギを前記駆動制御回路に向けて供給する蓄電手段とを備え、前記蓄電手段には、前記蓄電手段の蓄電容量を検出する蓄電容量検出手段を設け、前記エネルギ残量表示手段によって表示されるエネルギ残量は、前記蓄電容量検出手段によって検出される蓄電容量とすることを特徴とする。
【００１３】
請求項６に記載の発明は、請求項１，２，３または４記載の電子時計において、前記電源手段は、外部エネルギを電気エネルギに変換する発電手段と、前記発電手段から供給される電気エネルギを蓄える蓄電手段と、前記蓄電手段に蓄えられた電気エネルギを昇降圧させる昇降圧手段とを備え、前記昇降圧手段には、前記昇降圧手段から出力される電気エネルギ量を検出する電気エネルギ量検出手段を設け、前記エネルギ残量表示手段によって表示されるエネルギ残量は、前記電気エネルギ量検出手段によって検出される電気エネルギ量とすることを特徴とする。
【００１４】
請求項７に記載の発明は、請求項１，２，３または４記載の電子時計において、前記電源手段は、外部エネルギを電気エネルギに変換する発電手段と、前記発電手段から供給される電気エネルギを蓄えて、電気エネルギを前記駆動制御手段に向けて供給する蓄電手段とを備え、前記発電手段には、前記発電手段が発電状態にあるか否かを検出する発電状態検出手段を設け、前記条件は、前記発電状態検出手段によって前記発電手段が発電状態にあることを検出したか否かであることを特徴とする。
【００１５】
請求項８記載の発明は、請求項７記載の電子時計において、前記発電状態検出手段は、前記発電手段から出力される電気エネルギの量が判定エネルギ量を超えたか否かを判定するエネルギ量判定手段と、前記エネルギ量判定手段によって電気エネルギ量が判定エネルギ量を超えていると判定された状態の継続時間が判定時間値を越えているか否かを判定する発電時間判定手段とを備えることを特徴とする。
【００１６】
請求項９記載の発明は、請求項１，２，３または４記載の電子時計において、前記駆動制御手段は、前記電源手段から供給される電気エネルギによって作動し制御信号を出力する制御回路と、前記電源手段から供給される電気エネルギによって作動し前記制御回路から出力される制御信号を受けて駆動信号を前記被駆動手段に向けて出力する駆動回路とによって構成し、前記モード切換手段は、前記駆動モードにおいては前記制御回路と駆動回路とに電気エネルギを供給し、節電モードにおいては前記制御回路にのみ電気エネルギを供給することを特徴とする。
【００１７】
請求項１０記載の発明は、請求項１，２，３または４記載の電子時計において、前記電子時計が携帯状態にあるか否かを検出する携帯状態検出手段を設け、前記条件は、前記被駆動手段の動作モードを前記駆動モードから前記節電モードに切換える際には、前記携帯状態検出手段によって前記電子時計が非携帯状態にあることを検出し、電子時計が非携帯状態にある時間が所定時間を経過したか否かであり、前記被駆動手段の動作モードを前記節電モードから前記駆動モードに切換える際には、前記携帯状態検出手段によって電子時計が非携帯状態から携帯状態に切換ったか否かであることを特徴とする。
【００１８】
請求項１１記載の発明は、請求項１，２または３記載の電子時計において、前記エネルギ残量表示手段は、予め定められた残量表示態様として表示することを特徴とする。
【００１９】
請求項１２記載の発明は、請求項１，２，３または４記載の電子時計において、前記駆動制御手段には、モード切換手段によって節電モードから駆動モードに切換わるとき、時刻表示を現時刻に復帰させるための復帰動作を行う現時刻復帰手段を備えることを特徴とする。
【００２０】
請求項１３記載の発明は、請求項４記載の電子時計において、前記日付表示手段には、前記モード切換手段によって前記被駆動手段の動作モードを駆動モードから節電モードに移行するに際し、前記日付表示手段は、１から１０の数字を用いて前記電気エネルギ量検出手段が検出した電気エネルギ量を表示することを特徴とする。
【００２１】
請求項１４記載の発明は、電気エネルギを供給する電源ユニットと、前記電源ユニットから供給される電気エネルギによって作動され、駆動信号を出力する駆動制御ユニットと、前記駆動制御ユニットから出力される駆動信号を受けて駆動される被駆動ユニットと、前記被駆動ユニットによって駆動され、時刻表示を行う時刻表示機構と、前記電源ユニットから供給される電気エネルギの量を検出するとともに前記エネルギの量を監視する電気エネルギ量検出装置とを有する電子時計の制御方法であって、予め設定された条件に基づいて前記被駆動ユニットのモードを、通常の駆動を行う駆動モードと節電モードとに切換えるモード切換工程と、前記モード切換工程によって少なくとも前記被駆動ユニットの動作モードが駆動モードから節電モードに移行するに際し、前記電気エネルギ量検出装置によって検出され、かつ監視される電気エネルギ量を表示するとともに、その表示を更新するエネルギ残量表示工程と、を具備することを特徴とする。
【００２２】
請求項１５記載の発明は、電気エネルギを供給する電源ユニットと、前記電源ユニットから供給される電気エネルギによって作動され、駆動信号を出力する駆動制御ユニットと、前記駆動制御ユニットから出力される駆動信号を受けて駆動される被駆動ユニットと、前記被駆動ユニットによって駆動され、時刻表示を行う時刻表示機構と、前記電源ユニットから供給される電気エネルギの量を検出するとともに前記エネルギの量を監視する電気エネルギ量検出装置とを有する電子時計の制御方法であって、予め設定された条件に基づいて前記被駆動ユニットのモードを、通常の駆動を行う駆動モードと節電モードとに切換えるモード切換工程と、前記モード切換工程によって少なくとも前記被駆動ユニットの動作モードが駆動モードから節電モードに移行するに際し、前記電気エネルギ量検出装置によって検出され、かつ監視される電気エネルギ量を前記時刻表示機構を用いて表示するとともに、その表示を更新するエネルギ残量表示工程と、を具備することを特徴とする。
【００２３】
請求項１６記載の発明は、電気エネルギを供給する電源ユニットと、前記電源ユニットから供給される電気エネルギによって作動され、駆動信号を出力する駆動制御ユニットと、前記駆動制御ユニットから出力される駆動信号を受けて駆動される被駆動ユニットと、前記被駆動ユニットによって駆動され、時刻表示を行う時刻表示機構と、前記被駆動ユニットによって駆動され、前記時刻表示機構による時間表示に加えて日付の表示を行う日付表示機構と、前記電源ユニットから供給される電気エネルギの量を検出するとともに前記エネルギの量を監視する電気エネルギ量検出装置とを有する電子時計の制御方法であって、予め設定された条件に基づいて前記被駆動ユニットのモードを、通常の駆動を行う駆動モードと節電モードとに切換えるモード切換工程と、前記モード切換工程によって少なくとも前記被駆動ユニットの動作モードが駆動モードから節電モードに移行するに際し、前記電気エネルギ量検出装置によって検出され、かつ監視される電気エネルギ量を前記日付表示機構を用いて表示するとともに、その表示を更新するエネルギ残量表示工程と、を具備することを特徴とする。
【００２４】
請求項１７記載の発明は、電気エネルギを供給する電源ユニットと、前記電源ユニットから供給される電気エネルギによって作動され、駆動信号を出力する駆動制御ユニットと、前記駆動制御ユニットから出力される駆動信号を受けて駆動される被駆動ユニットと、前記被駆動ユニットによって駆動され、時間表示を行う時刻表示機構と、前記被駆動ユニットによって駆動され、前記時刻表示機構による時間表示に加えて数字による日付の表示を行う日付表示機構と、前記電源ユニットから供給される電気エネルギの量を検出するとともに前記エネルギの量を監視する電気エネルギ量検出装置とを有する電子時計の制御方法であって、予め設定された条件に基づいて前記被駆動ユニットのモードを、通常の駆動を行う駆動モードと節電モードとに切換えるモード切換工程と、前記モード切換工程によって少なくとも前記被駆動ユニットの動作モードが駆動モードから節電モードに移行するに際し、前記電気エネルギ量検出装置によって検出され、かつ監視される電気エネルギ量を前記日付表示機能で使用される日付用の数字とは異なった数字を用いて表示するとともに、その表示を更新するエネルギ残量表示工程と、を具備することを特徴とする。
【００２５】
請求項１８記載の発明は、請求項１４，１５，１６，または１７記載の電子時計の制御方法において、前記電源ユニットは、外部エネルギを電気エネルギに変換する発電装置と、前記発電装置から供給される電気エネルギを蓄えて、電気エネルギを供給する蓄電装置とを具備し、前記蓄電装置の蓄電容量を検出する蓄電容量検出工程を設け、前記エネルギ残量表示工程によって表示されるエネルギ残量は、前記蓄電容量検出工程において検出される蓄電容量とすることを特徴とする。
【００２６】
請求項１９に記載の発明は、請求項１４，１５，１６，または１７記載の電子時計の制御方法において、前記電源ユニットは、外部エネルギを電気エネルギに変換する発電装置と、前記発電装置から供給される電気エネルギを蓄えて、電気エネルギを供給する蓄電装置と、前記蓄電装置から出力される電気エネルギを昇降圧させる昇降圧回路とを具備し、前記昇降圧回路から出力される電気エネルギ量を検出する電気エネルギ量検出工程を設け、前記エネルギ残量表示工程によって表示されるエネルギ残量は、前記電気エネルギ量検出工程において検出される電気エネルギ量とすることを特徴とする。
【００５０】
【発明の実施の形態】
次に図面を参照して本発明の好適な実施形態について説明する。
【００５１】
［１］  第１実施形態
まず、第１実施形態について述べる。
【００５２】
［１・１］  概要構成
図１には、本発明の一実施形態に係る電子時計１の概略構成を示す。
電子時計１は腕時計であって、ユーザは装置本体に連結されたベルトを手首に巻き付けて使用するようになっている。
【００５３】
本実施形態による電子時計１は、交流電力を発電する発電部Ａと、発電部Ａから供給される交流電圧を整流すると共に昇圧した電圧を蓄電し、各構成部分へ電気エネルギを供給する電源部Ｂと、該電源部Ｂから出力される電気エネルギにより作動され、装置全体を制御する制御回路２３と、秒針５５をステッピングモータ１０を用いて駆動する秒針運針機構ＣSと、分針及び時針をステッピングモータを用いて駆動する時分針運針機構ＣHMと、前記制御回路２３から出力される制御信号を受けて秒針運針機構ＣSを駆動する秒針駆動回路３０Sと、制御回路２３から出力される制御信号を受けて時分針運針機構ＣHMを駆動する時分針駆動回路３０HMと、電子時計１のモードを時刻表示モードからカレンダ修正モード、時刻修正モード或いは強制的に後述する節電モードに移行させるための指示操作を行うリュウズまたはボタンからなる外部入力装置１００（図２参照）とを具備している。また、制御回路２３には、発電部Ａの発電状態を検出する発電状態検出部９１と、電源部Ｂから出力される電気エネルギ（昇降圧後電圧ＶSS）を検出する電圧検出回路９２とを備えている。
【００５４】
ここで、制御回路２３は、発電部Ａの発電状態に応じて、制御回路２３と運指機構ＣS，ＣHMの駆動回路３０S ，３０HM（駆動回路）に給電することにより、時刻表示を行う表示モード（動作モード）と、秒針運針機構ＣS及び時分針運針機構ＣHMへの給電を停止して前記制御回路２３に対してのみ給電を行う節電モードとに切換えるモード切換手段の機能を備えている。また、制御回路２３では、後述するように、ユーザが電子時計１を手首に巻き付け、これを振って発電を行うことにより、発電される電圧が所定の発電電圧を越えると、電子時計１の動作モードが節電モードから表示モードに切換わるようになっている。
【００５５】
［１・２］  詳細構成
以下、電子時計１の各構成部分について説明する。なお、制御回路２３については機能ブロックを用いて後述する。
【００５６】
［１・２・１］  発電部
まず、発電部Ａについて説明する。
発電部Ａは、発電装置４０、回転錘４５および増速用ギア４６を備えて構成されている。
発電装置４０としては、発電用ロータ４３が発電用ステータ４２の内部で回転し発電用ステータ４２に接続された発電コイル４４に誘起された電力を外部に供給できる電磁誘導型の交流発電装置が採用されている。
また、回転錘４５は、発電用ロータ４３に運動エネルギを伝達する手段として機能する。そして、この回転錘４５の動きが増速用ギア４６を介して発電用ロータ４３に伝達される。
この回転錘４５は、腕時計型の電子時計１においては、ユーザの腕の動きなどを捉えて装置内で旋回できるようになっており、ユーザの生活に関連した外部のエネルギを利用して発電を行い、その電力を用いて電子時計１を駆動している。
【００５７】
［１・２・２］  電源部
次に、電源部Ｂについて説明する。
電源部Ｂは、過大電圧が後段の回路に印加されるのを防止するためのリミッタ回路ＬＭと、整流回路として作用するダイオード４７と、大容量コンデンサ４８と、昇降圧回路４９とを備えている。
ここで、昇降圧回路４９は、複数のコンデンサ４９ａ、４９ｂおよび補助コンデンサ４９ｃを用いて多段階の昇圧および降圧ができるようになっており、制御回路２３から出力される制御信号φ１１によって秒針駆動回路３０S及び時分針駆動回路３０HMに供給する電圧を調整するものである。
また、電源部Ｂは、Ｖdd（高電位側）を基準電位（ＧＮＤ）に取り、Ｖss（低電位側）を電源電圧（以下、昇降圧後電圧Ｖss）として生成している。
【００５８】
［１・２・３］  昇降圧回路の説明
ここで、図３ないし図８を参照しつつ、昇降圧回路の構成および動作について昇圧を行う場合を例示して説明する。
【００５９】
〈１・２・３・１〉 昇降圧回路の構成
昇降圧回路４９は、図３に示すように、大容量コンデンサ４８の高電位側端子に一方の端子が接続されたスイッチＳＷ１と、スイッチＳＷ１の他方の端子に一方の端子が接続され、他方の端子が大容量コンデンサ４８の低電位側端子に接続されたスイッチＳＷ２と、スイッチＳＷ１とスイッチＳＷ２との接続点に一方の端子が接続されたコンデンサ４９ａと、コンデンサ４９ａの他方の端子に一方の端子が接続され、他方の端子が大容量コンデンサ４８の低電位側端子に接続されたスイッチＳＷ３と、一方の端子が補助コンデンサ４９ｃの低電位側端子に接続され、他方の端子がコンデンサ４９ａとスイッチＳＷ３との接続点に接続されたスイッチＳＷ４と、大容量コンデンサ４８の高電位側端子と補助コンデンサ４９ｃの高電位側端子との接続点に一方の端子が接続されたスイッチＳＷ１１と、スイッチＳＷ１１の他方の端子に一方の端子が接続され、他方の端子が大容量コンデンサ４８の低電位側端子に接続されたスイッチＳＷ１２と、スイッチＳＷ１１とスイッチＳＷ１２との接続点に一方の端子が接続されたコンデンサ４９ｂと、コンデンサ４９ｂの他方の端子に一方の端子が接続され、スイッチＳＷ１２と大容量コンデンサ４８の低電位側端子との接続点に他方の端子が接続されたスイッチＳＷ１３と、一方の端子がコンデンサ４９ｂとスイッチＳＷ１３との接続点に接続され、他方の端子が補助コンデンサ４９ｃの低電位側端子に接続されたスイッチＳＷ１４と、スイッチＳＷ１１とスイッチＳＷ１２との接続点に一方の端子が接続され、コンデンサ４９ａとスイッチＳＷ３との接続点に他方の端子が接続されたスイッチＳＷ２１と、を備えて構成されている。
【００６０】
〈１・２・３・２〉  昇降圧回路の動作
昇降圧回路４９の動作について、図４ないし図８を参照して、３倍昇圧時、２倍昇圧時、１．５倍昇圧時、１倍昇圧時（ショートモード）および１倍昇圧時（電荷転送モード）を例として説明する。
【００６１】
〈１・２・３・２・１〉  ３倍昇圧時
昇降圧回路４９は、外部より入力された昇圧クロックＣＫUDに基づいて動作しており、３倍昇圧時には、図４に示すように、第１の昇圧クロックタイミング（パラレル接続タイミング）においては、スイッチＳＷ１をオン、スイッチＳＷ２をオフ、スイッチＳＷ３をオン、スイッチＳＷ４をオフ、スイッチＳＷ１１をオン、スイッチＳＷ１２をオフ、スイッチＳＷ１３をオン、スイッチＳＷ１４をオフ、スイッチＳＷ２１をオフとする。
この場合における昇降圧回路４９の等価回路は、図５（ａ）に示すようなものとなり、コンデンサ４９ａおよびコンデンサ４９ｂに大容量コンデンサ４８から電源が供給され、コンデンサ４９ａおよびコンデンサ４９ｂの電圧が大容量コンデンサ４８の電圧とほぼ等しくなるまで充電がなされる。
【００６２】
次に、第２の昇圧クロックタイミング（シリアル接続タイミング）においては、スイッチＳＷ１をオフ、スイッチＳＷ２をオン、スイッチＳＷ３をオフ、スイッチＳＷ４をオフ、スイッチＳＷ１１をオフ、スイッチＳＷ１２をオフ、スイッチＳＷ１３をオフ、スイッチＳＷ１４をオン、スイッチＳＷ２１をオンとする。この場合における昇降圧回路４９の等価回路は、図５（ｂ）に示すようなものとなり、大容量コンデンサ４８、コンデンサ４９ａおよびコンデンサ４９ｂはシリアルに接続されて、大容量コンデンサ４８の電圧の３倍の電圧で補助コンデンサ４９ｃが充電され、３倍昇圧が実現されることとなる。
【００６３】
〈１・２・３・２・２〉  ２倍昇圧時
昇降圧回路４９は、外部より入力された昇圧クロックＣＫUDに基づいて動作しており、２倍昇圧時には、図４に示すように、第１の昇圧クロックタイミング（パラレル接続タイミング）においては、スイッチＳＷ１をオン、スイッチＳＷ２をオフ、スイッチＳＷ３をオン、スイッチＳＷ４をオフ、スイッチＳＷ１１をオン、スイッチＳＷ１２をオフ、スイッチＳＷ１３をオン、スイッチＳＷ１４をオフ、スイッチＳＷ２１をオフとする。
この場合における昇降圧回路４９の等価回路は、図６（ａ）に示すようなものとなり、コンデンサ４９ａおよびコンデンサ４９ｂに大容量コンデンサ４８から電源が供給され、コンデンサ４９ａおよびコンデンサ４９ｂの電圧が大容量コンデンサ４８の電圧とほぼ等しくなるまで充電がなされる。
【００６４】
次に、第２の昇圧クロックタイミング（シリアル接続タイミング）においては、スイッチＳＷ１をオフ、スイッチＳＷ２をオン、スイッチＳＷ３をオフ、スイッチＳＷ４をオン、スイッチＳＷ１１をオフ、スイッチＳＷ１２をオン、スイッチＳＷ１３をオフ、スイッチＳＷ１４をオン、スイッチＳＷ２１をオフとする。この場合における昇降圧回路４９の等価回路は、図６（ｂ）に示すようなものとなり、並列に接続されたコンデンサ４９ａおよびコンデンサ４９ｂに対し、大容量コンデンサ４８がシリアルに接続されて、大容量コンデンサ４８の電圧の２倍の電圧で補助コンデンサ４９ｃが充電され、２倍昇圧が実現されることとなる。
【００６５】
〈１・２・３・２・３〉  １．５倍昇圧時
昇降圧回路４９は、外部より入力された昇圧クロックＣＫUDに基づいて動作しており、１．５倍昇圧時には、図４に示すように、第１の昇圧クロックタイミング（パラレル接続タイミング）においては、スイッチＳＷ１をオン、スイッチＳＷ２をオフ、スイッチＳＷ３をオフ、スイッチＳＷ４をオフ、スイッチＳＷ１１をオフ、スイッチＳＷ１２をオフ、スイッチＳＷ１３をオン、スイッチＳＷ１４をオフ、スイッチＳＷ２１をオンとする。
この場合における昇降圧回路４９の等価回路は、図７（ａ）に示すようなものとなり、コンデンサ４９ａおよびコンデンサ４９ｂに大容量コンデンサ４８から電源が供給され、コンデンサ４９ａおよびコンデンサ４９ｂの電圧が大容量コンデンサ４８の電圧の１／２の電圧とほぼ等しくなるまで充電がなされる。
【００６６】
次に、第２の昇圧クロックタイミング（シリアル接続タイミング）においては、スイッチＳＷ１をオフ、スイッチＳＷ２をオン、スイッチＳＷ３をオフ、スイッチＳＷ４をオン、スイッチＳＷ１１をオフ、スイッチＳＷ１２をオン、スイッチＳＷ１３をオフ、スイッチＳＷ１４をオン、スイッチＳＷ２１をオフとする。この場合における昇降圧回路４９の等価回路は、図７（ｂ）に示すようなものとなり、並列に接続されたコンデンサ４９ａおよびコンデンサ４９ｂに対し、大容量コンデンサ４８がシリアルに接続されて、大容量コンデンサ４８の電圧の１．５倍の電圧で補助コンデンサ４９ｃが充電され、１．５倍昇圧が実現されることとなる。
【００６７】
〈１・２・３・２・４〉  １倍昇圧時（非昇圧時；ショートモード）
昇降圧回路４９は、１倍昇圧時には、図４に示すように、常に、スイッチＳＷ１をオフ、スイッチＳＷ２をオン、スイッチＳＷ３をオン、スイッチＳＷ４をオン、スイッチＳＷ１１をオフ、スイッチＳＷ１２をオン、スイッチＳＷ１３をオン、スイッチＳＷ１４をオン、スイッチＳＷ２１をオフとする。
この場合における昇降圧回路４９の接続状態は、図８（ａ）に示すようなものとなり、その等価回路は図８（ｂ）に示すようなものとなって、大容量コンデンサ４８が補助コンデンサ４９ｃに直結された状態となる。
このようにして、昇降圧回路４９は、大容量コンデンサ４８の充電電圧Ｖcを所定の倍率で昇降圧させて昇降圧後電圧ＶSSを出力するものである。
【００６８】
［１・２・４］  運針機構
次に運針機構ＣS，ＣHMについて説明する。
〈１・２・４・１〉  秒針運針機構
まず、秒針運針機構ＣSについて説明する。
ここで、秒針運針機構ＣSに用いられているステッピングモータ１０は、パルスモータ、階動モータ或いはデジタルモータなどとも称され、デジタル制御装置のアクチュエータとして多用され、該ステッピングモータ１０は、パルス信号によって駆動されるものである。また近年、携帯に適した小型の電子時計或いは情報機器用のアクチュエータとして小型、軽量化されたこの種のステッピングモータが多く採用されている。また、このような電子時計としては、時間スイッチ、クロノグラフといったものが代表として挙げられる。
【００６９】
本実施形態のステッピングモータ１０は、秒針駆動回路３０Sから供給される駆動パルスによって磁力を発生する駆動コイル１１と、この駆動コイル１１によって励磁されるステータ１２と、ステータ１２の内部において励磁される磁界により回転するロータ１３とを備えている。
また、ロータ１３は、ディスク状の２極の永久磁石を有するＰＭ型（永久磁石回転型）で構成され、ステータ１２には、駆動コイル１１で発生した磁力による異なった磁極が、ロータ１３回りのそれぞれの相（極）１５および１６に発生する磁気飽和部１７が設けられている。
さらに、ロータ１３の回転方向を規定するために、ステータ１２内周の適当な位置には内ノッチ１８が設けられており、コギングトルクを発生させてロータ１３を適当な位置に停止させるようにしている。
【００７０】
そして、ステッピングモータ１０によるロータ１３の回転は、ロータ１３に噛合された秒中間車５１及び秒車（秒指示車）５２からなる輪列５０によって秒針５３に伝達され、該秒針５３によって秒表示がなされている。
【００７１】
〈１・２・４・２〉  時分運針機構
次に、時分針運針機構ＣHMについて説明する。時分運針機構ＣHMに用いられているステッピングモータ６０は、ステッピングモータ１０とほぼ同様の構成となっている。
【００７２】
本実施形態のステッピングモータ６０は、時分駆動回路３０HMから供給される駆動パルスによって磁力を発生する駆動コイル６１と、この駆動コイル６１によって励磁されるステータ６２と、さらにステータ６２の内部において励磁される磁界により回転するロータ６３とを備えている。
また、ロータ６３は、ディスク状の２極の永久磁石を有するＰＭ型（永久磁石回転型）で構成されている。さらに、ステータ６２には、駆動コイル６１で発生した磁力による異なった磁極が、ロータ６３回りのそれぞれの相（極）６５および６６に発生する磁気飽和部６７が設けられている。
さらに、ロータ６３の回転方向を規定するために、ステータ６２内周の適当な位置には内ノッチ６８が設けられており、コギングトルクを発生させてロータ６３を適当な位置で停止させるようにしている。
【００７３】
そして、ステッピングモータ６０のロータ６３の回転は、ロータ６３に噛合された四番車７１、三番車７２、二番車（分指示車）７３、日の裏車７４および筒車（時指示車）７５からなる輪列７０によって各針に伝達される。二番車７３には分針７６が接続され、さらに筒車７５には時針７７が接続されている。ロータ６３の回転に連動してこれらの各針によって時分が表示される。
なお、輪列７０には、図示しない年月日（カレンダ）などの表示を行うための伝達系（例えば、日付表示を行う場合には、筒中間車、日回し中間車、日回し車、日車等）を接続することも勿論可能である。この場合、カレンダ修正系輪列（例えば、第１カレンダ修正伝え車、第２カレンダ修正伝え車、カレンダ修正車、日車等）を追加して設ければよい。
【００７４】
［１・２・５］  秒針駆動回路及び時分針駆動回路
次に、秒針駆動回路３０S及び時分針駆動回路３０HMについて説明する。ここでは、秒針駆動回路３０S及び時分針駆動回路３０HMは同様の構成であるので、秒針駆動回路３０Sについてのみ、図１を参照しつつ説明する。
【００７５】
ここで、秒針駆動回路３０Sは、制御回路２３の制御下でステッピングモータ１０に様々な駆動パルスを供給するものである。
また、秒針駆動回路３０Sは、直列に接続されたＰチャンネル型のトランジスタ３３ａとＮチャンネル型のトランジスタ３２ａ、およびＰチャンネル型のトランジスタ３３ｂとＮチャンネル型のトランジスタ３２ｂによって構成されたブリッジ回路を備えており、秒針駆動回路３０Sは、トランジスタ３３ａおよび３３ｂとそれぞれ並列に接続された回転検出用抵抗３５ａおよび３５ｂと、これらの抵抗３５ａおよび３５ｂにチョッパパルスを供給するためのサンプリング用のＰチャンネル型のトランジスタ３４ａ，３４ｂとを備えている。
【００７６】
これにより、秒針駆動回路３０Sは、これらのトランジスタ３２ａ，３２ｂ，３３ａ，３３ｂ，３４ａおよび３４ｂの各ゲート電極に制御回路２３からそれぞれのタイミングで極性およびパルス幅の異なる制御パルスを印加することにより、駆動コイル１１に極性の異なる駆動パルスを供給したり、或いはロータ１３の回転検出用および磁界検出用の誘起電圧を励起する検出用のパルスを供給している。
【００７７】
［１・２・６］  制御回路
次に、制御回路２３の構成について図２を参照しつつ説明するに、この図２の機能ブロック図は、制御回路２３とその周辺構成を示している。
【００７８】
ここで、制御回路２３は、パルス合成回路２２、モード設定部９０、駆動制御回路２４等にを具備している。
まず、パルス合成回路２２は、水晶振動子などの基準発振源２１を用いて安定した周波数の基準パルスを発振する発振回路と、基準パルスを分周して得た分周パルスと基準パルスとを合成してパルス幅やタイミングの異なるパルス信号を発生する合成回路とを備えて構成されている。
【００７９】
次に、モード設定部９０は、発電状態検出部９１と、発電状態の検出のために用いる設定値を切換える設定値切換部９５と、大容量コンデンサ４８の充電電圧Ｖc（昇降圧回路４９からの昇降圧後電圧ＶSS）を検出する電圧検出回路９２と、発電状態に応じて時刻表示のモードを制御すると共に充電電圧に基づいて昇圧倍率を制御する中央制御回路９３と、モードを記憶するモード記憶部９４とを備えて構成されている。
【００８０】
この発電状態検出部９１は、発電装置４０の起電圧Ｖgenと設定電圧値Ｖ0とを比較することにより、発電状態にあるか否かを判断する第１の検出回路９７と、該第１の検出回路９７によって発電装置４０が発電状態にある時間を発電継続時間Ｔgenとして、この時間Ｔgenと設定時間値Ｔ0とを比較することにより、安定した発電状態を判断する第２の検出回路９８とを備えている。
【００８１】
そして、発電状態検出部９１では、第１の検出回路９７と第２の検出回路９８との両方の条件を満足すると、発電部Ａが発電状態であると判断するようになっている。ここで、設定電圧値Ｖ0は、Ｖdd（＝ＧＮＤ）を基準としたときの負電圧であり、Ｖddからの電位差を示している。
【００８２】
ここで、第１の検出回路９７に用いられる設定電圧値Ｖ0は、設定値切換部９５によって切換制御されるもので、該設定値切換部９５は、表示モードから節電モードに切換わると、第１の検出回路９７に用いる設定電圧値Ｖ0の値を変更する。即ち本例においては、表示モードにあるときには設定電圧値Ｖa、節電モードにあるときには設定電圧値Ｖbとし、この関係はＶa＜Ｖbに設定されている。従って、節電モードから表示モードへ切換えるためには、大きな発電が必要とされる。なお、設定値切換部９５によって第２の検出回路９８に用いられる設定時間値Ｔ0を切換えるようにしてもよい。
【００８３】
また、中央制御回路９３は、検出回路９７，９８で発電が検出されない非発電時間Ｔｎを計測する非発電時間計測回路９９を備えている。
【００８４】
一方、節電モードから表示モードへの復帰は、発電状態検出部９１によって、発電部Ａが発電状態にあることが検出され、かつ、大容量コンデンサ４８の充電電圧Ｖcが節電モードから表示モードに復帰するのに必要な電気エネルギが十分残っているという条件が整うと実行される。
【００８５】
この場合、節電モードにある状態で、リミッタ回路ＬＭが動作し、オン（閉）状態となっていると発電部Ａは短絡状態となり、発電状態検出部９１は、発電部Ａが発電状態にあってもそれを検出することができなくなってしまい、節電モードから表示モードへ移行することができなくなってしまうことになる。
そこで、本実施形態においては、節電モードにある場合には、発電部Ａの発電状態に拘わらず、リミッタ回路ＬＭをオフ（開）状態として、発電状態検出部９１は、発電部Ａの発電状態を確実に検出することができるようにしている。
【００８６】
また、本実施形態の電源部Ｂは昇降圧回路４９を備えているため、充電電圧Ｖcがある程度低い状態でも、前述した如く、昇降圧回路４９によって充電電圧Ｖcを昇圧させた昇降圧後電圧Ｖssにより、運針機構ＣS，ＣHMを駆動させることが可能となる。
一方、逆に充電電圧Ｖcがある程度高く、運針機構ＣS，ＣHMの駆動電圧よりも高い状態でも昇降圧回路４９によって充電電圧Ｖcを降圧させた昇降圧後電圧Ｖssにより、運針機構ＣS，ＣHMを駆動することが可能である。
また、中央制御回路９３は、電圧検出回路９２によって検出された充電電圧Ｖcに基づいて昇降圧倍率を決定し、昇降圧回路４９を制御するものである。
【００８７】
しかし、充電電圧Ｖcがあまりに低いと、昇圧しても運針機構ＣS、ＣHMを動作させることができる電圧を得ることができない。そのような場合に、節電モードから表示モードに移行すると、正確な時刻表示を行うことができず、また無駄な電力を消費してしまうことになる。
そこで、充電電圧Ｖcを予め定められた設定電圧値Ｖbと比較することにより、充電電圧Ｖcが十分充電されているか否かを判断し、これを節電モードから表示モードへ移行するための条件としてもよい。
【００８８】
このように設定される動作モードは、モード記憶部９４に記憶され、その情報が駆動制御回路２４、時刻情報記憶部９６および設定値切換部９５に供給される。
【００８９】
ここで、駆動制御回路２４では、例えば外部入力装置１００の操作によって、当該電子時計１の動作モードが、表示モードから節電モードに切換わると、秒針駆動回路３０S及び時分針駆動回路３０HMに対して制御信号を供給するのを停止し、秒針駆動回路３０S及び時分針駆動回路３０HMの動作を停止させる。これにより、モータ１０，６０は回転しなくなり、時刻表示を停止する。
【００９０】
次に、駆動制御回路２４は、パルス合成回路２２から出力される各種のパルスに基づいて、モードに応じた駆動パルスを生成する。まず、節電モードにあっては、駆動パルスの供給を停止する。また、駆動制御回路２４は、手段節電モードから表示モードへの切換が行われた直後には、再表示された時刻表示を現時刻に復帰させる現時刻復帰機能を備えている。即ち、パルス間隔が短い早送りパルスを駆動パルスとして秒針駆動回路３０S及び時分針駆動回路３０HMに供給することにより、運針を早めて現時刻に素早く復帰させる。
【００９１】
次に、早送りパルスの供給が終了した後には、通常のパルス間隔の駆動パルスを秒針駆動回路３０S及び時分針駆動回路３０HMに供給する。
【００９２】
一方、１０１は秒カウンタ回路で、該秒カウンタ回路１０１は、秒位置カウンタ１０２と、時刻カウンタ１０３と、該カウンタ１０２，１０３の出力側に接続された一致検出回路１０４によって、６０秒カウンタとして構成されている。
【００９３】
ここで、秒位置カウンタ１０２には、秒針駆動信号に連動したパルス信号が入力され、例えば外部操作装置１００の操作により、強制的に表示モードから節電モードに移行すると、駆動制御回路２４からは大容量コンデンサ４８の充電電圧Ｖcに対応した早送りパルスが出力され、秒モータ１０を介して秒針５５を回動させ、該秒針５５によってエネルギ残量の表示を行う。そして、駆動信号の出力が停止した段階で、秒針は停止して節電モードに入る。また、節電モード中は秒針駆動信号が入力されていないので、秒位置カウンタ１０２はカウントアップされず、時刻カウンタ１０３のみがカウントアップされ、時刻復帰の際には、駆動制御回路２４から早送り駆動信号（１Ｈｚより早い）が入力され、秒位置カウンタ１０２は時刻カウンタ１０３の値と同じ値になるまでカウントアップされる。そして、一致検出回路１０４では、秒位置カウンタ１０２の値と、時刻カウンタ１０３の値とが同じ値になると早送りを停止し、通常の表示モードに移行する。
【００９４】
１１１は時分カウンタ回路で、該時分カウンタ回路１１１は、秒カウンタ回路１０１とほぼ同様に、時分位置カウンタ１１２と、時刻カウンタ１１３と、該カウンタ１１２，１１３の出力側に接続された一致検出回路１１４によって、分針７６が１分運針の場合には、１４４０（２４×６０）カウンタとして構成されている。分針７６が２０秒運針の場合には、１分間に３回カウントするので４３２０（２４×６０×３）カウントとなる。
【００９５】
［１・２・７］  電圧検出回路
次に、図９ないし図１１を参照しつつ、電圧検出回路９２の構成と動作について説明する。
【００９６】
〈１・２・７・１〉  電圧検出回路の構成
まず、図９に基づいて電圧検出回路９２の構成について述べる。
電圧検出回路９２は、大容量コンデンサ４８の充電電圧Ｖcを分圧して充電電圧Ｖcに比例する検出電圧Ｖc´を生成する分圧回路９２Ａと、基準電圧Ｖrefを生成する基準電源９２Ｂと、検出電圧Ｖc´と基準電圧Ｖrefとを比較して原リミッタ信号ＳLIM0を出力するコンパレータ９２Ｃと、原リミッタ信号ＳLIM0をサンプリング信号ＳS3に対応するタイミングでラッチして保持し、リミッタ信号ＳＬＩＭ１として出力するラッチ回路９２Ｄと、サンプリング信号ＳS1に基づいて基準電源９２Ｂに電源を供給するスイッチＳＷ1と、サンプリング信号ＳS2 に基づいてコンパレータ９２Ｃに電源を供給するスイッチＳＷ2と、サンプリング信号ＳS3に基づいて分圧回路９２Ａを大容量コンデンサ４８に接続するスイッチＳＷ3と、を備えて構成されている。
【００９７】
この場合において、サンプリング信号ＳS1、サンプリング信号ＳS2およびサンプリング信号ＳS3 が“Ｈ”レベルから“Ｌ”レベル、すなわち、スイッチＳＷ1、スイッチＳＷ2、スイッチＳＷ3がオンになるタイミングは、サンプリング信号ＳS1→サンプリング信号ＳS2→サンプリング信号ＳS3の順番となっている。
【００９８】
従って、最も安定となるまでに時間がかかる基準電源９２Ｂに電源が供給され、その後コンパレータ９２Ｃに電源が供給され、基準電圧Ｖrefおよびコンパレータ９２Ｃの動作が安定した後に、分圧回路９２Ａが接続されて、ラッチ回路９２Ｄにより原リミッタ信号ＳLIM0が取り込まれることになる。
【００９９】
一方、分圧回路９２Ａは、直列接続された抵抗値Ｒを有する抵抗９２Ａ1，９２Ａ2，９２Ａ3，９２Ａ4と、該抵抗９２Ａ3の両端に接続されたＮチャンネル型トランジスタ９２Ａ5と、抵抗９２Ａ4の両端に接続されたＮチャンネル型トランジスタ９２Ａ6と、を具備している。
【０１００】
そして、この分圧回路９２Ａでは、抵抗９２Ａ1〜９２Ａ4が分圧抵抗となるから、充電電圧Ｖcを１／４とした検出電圧Ｖc´を抵抗９２Ａ1によって取出す。また、充電電圧Ｖcの充電量が低くなった場合には、トランジスタ９２Ａ5，９２Ａ6を適宜閉成させることにより、抵抗９２Ａ1によって取出される検出電圧Ｖc´を、充電電圧Ｖcの１／３，１／２とする。これにより、大容量コンデンサ４８の充電状態を、フル充電、３／４充電、１／２充電として表示する。なお、分圧抵抗の数、抵抗値を適宜に選択することにより、種々の残量表示態様に対する信号を得る。
【０１０１】
〈１・２・７・２〉  電圧検出回路の動作
次に図１０の処理フローチャートおよび図１１のタイミングチャートを参照して動作を説明する。なお、実際には、サンプリング信号ＳS1→サンプリング信号ＳS2→サンプリング信号ＳS3の順番で遷移タイミングがずれているが、図１１においては、説明の簡略化のため、サンプリング信号ＳS1、ＳS2、ＳS3の遷移タイミングはほぼ同一タイミングであるものとしている。
【０１０２】
まず、前回のサンプリングタイミングからの経過時間Ｔがサンプリング期間Ｔsp以上となったか否かを判別する（ステップＳ１）。
【０１０３】
ステップＳ１の判別において、前回のサンプリングタイミングからの経過時間Ｔがサンプリング期間Ｔsp未満の場合には（ステップＳ１；Ｎｏ）、待機状態となり、ステップＳ１の処理を繰り返す。
【０１０４】
ステップＳ１の判別において、前回のサンプリングタイミングからの経過時間Ｔがサンプリング期間Ｔsp以上の場合には（ステップＳ１；Ｙｅｓ）、図１１の時刻ｔ1、ｔ3、ｔ4 に示すように、サンプリング信号ＳS1、サンプリング信号ＳS2およびサンプリング信号ＳS3 を順次“Ｈ”レベルから“Ｌ”レベルに遷移させ、すなわち、スイッチＳＷ1、スイッチＳＷ2、スイッチＳＷ3を順次オン状態とし、基準電源９２Ｂに電源が供給され、その後コンパレータ９２Ｃに電源が供給され、基準電圧Ｖrefおよびコンパレータ９２Ｃの動作が安定した後に、分圧回路９２Ａが接続されて、検出電圧Ｖc´が基準電圧Ｖrefを超過しているか否かをコンパレータ９２Ｃにより判別する（ステップＳ２）。
【０１０５】
ステップＳ２の判別において、図１１の時刻ｔ2〜時刻ｔ5に示すように、検出電圧Ｖc´が基準電圧Ｖrefを超過し、原リミッタ信号ＳLIM0が“Ｈ”レベルに遷移している場合には（ステップＳ２；Ｙｅｓ）、図１１の時刻ｔ3、ｔ4に示すように、ラッチ回路９２Ｄに“Ｈ”レベルの原リミッタ信号ＳLIM0が取り込まれ、リミッタ信号ＳLIM1＝“Ｈ”レベルとなる（ステップＳ３）。
【０１０６】
一方、ステップＳ２の判別において、図１１の時刻ｔ1 〜時刻ｔ2あるいは時刻ｔ5〜に示すように、検出電圧Ｖc´が基準電圧Ｖref未満となり、原リミッタ信号ＳLIM0が“Ｌ”レベルに遷移している場合には（ステップＳ２；Ｎｏ）、図１１の時刻ｔ1 、ｔ6に示すように、ラッチ回路９２Ｄに“Ｌ”レベルの原リミッタ信号ＳLIM0が取り込まれ、リミッタ信号ＳＬＩＭ１＝“Ｌ”レベルとなり（ステップＳ４）、処理を再びステップＳ１に移行し、以後、同様の処理を繰り返すこととなる。
【０１０７】
このように、電圧検出回路９２の動作をサンプリング信号に基づいて間欠的に行うことにより、検出に伴う消費電力をより低減させることができる。
【０１０８】
［１・２・８］  中央制御回路による倍率設定動作
〈１・２・８・１〉  充電電圧と昇降圧回路の倍率との関係
まず、図１２を参照しつつ、大容量コンデンサ４８の充電電圧Ｖcと昇降圧回路４９の倍率との関係について述べる。
なお、説明の都合上、初期状態において、発電状態検出回路９１は動作状態、リミッタ回路ＬＭは非動作状態、さらに昇降圧回路４９は非作動状態にあるものとする。また、この初期状態では、大容量コンデンサ４８の充電電圧Ｖcは、例えば０．４５［Ｖ］未満であり、運針機構ＣS，ＣHMを駆動するための最低電圧は１．２［Ｖ］未満に設定されている。
【０１０９】
（１）充電電圧Ｖcが０．０〜０．６２［Ｖ］（×３の範囲）にある時
大容量コンデンサ４８の充電電圧Ｖcが０．４５［Ｖ］未満の場合には、昇降圧回路４９は非作動状態にあり、電圧検出回路９２で検出される充電電圧Ｖcも０．４５［Ｖ］未満となるため、運針機構ＣS，ＣHMは非駆動状態のままである。
そして、大容量コンデンサ４８の充電電圧Ｖcが０．４５［Ｖ］を越えると、中央制御回路９３から昇降圧回路４９に３倍昇圧を行わせるための指令信号が出力される。これにより、昇降圧回路４９は３倍昇圧動作を行い、この３倍昇圧は、充電電圧Ｖcが０．６２［Ｖ］になるまで継続される。
この結果、昇降圧後電圧Ｖssは、１．３５［Ｖ］以上となり、運針機構Ｃs，ＣHMは駆動状態となる。
【０１１０】
なお、この場合、発電状態によっては、例えば、電子時計１を急激に振った場合には、急激に電圧が上昇して定格電圧を越えてしまう可能性があるため、３倍昇圧動作に移行させずに、２倍或いは１．５倍昇圧のように昇降圧倍率を発電状態に応じて制御するようにすれば、より安定した動作電圧の給電が可能となる。以下の場合においても同様である。
【０１１１】
（２）充電電圧Ｖcが０．６２［Ｖ］〜０．８３［Ｖ］（×２の範囲）にある時
大容量コンデンサ４８の充電電圧Ｖcが０．６２［Ｖ］を越えると、中央制御回路９３から昇降圧回路４９に２倍昇圧を行わせるための指令信号が出力される。これにより、昇降圧回路４９は２倍昇圧動作を行い、この２倍昇圧は、充電電圧Ｖcが０．８３［Ｖ］になるまで継続される。
この結果、昇降圧後電圧Ｖssは、１．２４［Ｖ］以上となり、運針機構ＣS，ＣHMは相変わらず、駆動状態を維持することになる。
【０１１２】
（３）０．８３［Ｖ］〜１．２３［Ｖ］（×１．５の範囲）にある時
大容量コンデンサ４８の充電電圧Ｖcが０．８３［Ｖ］を越えると、中央制御回路９３から昇降圧回路４９に１．５倍昇圧を行わせるための指令信号が出力される。これにより、昇降圧回路４９は１．５倍昇圧動作を行い、この１．５倍昇圧は、充電電圧Ｖcが１．２３［Ｖ］になるまで継続される。
この結果、昇降圧後電圧Ｖssは、１．２４［Ｖ］以上となり、運針機構ＣS，ＣHMは相変わらず、駆動状態を維持することになる。
【０１１３】
（４）１．２３［Ｖ］以上（×１の範囲）にある時
大容量コンデンサ４８の充電電圧Ｖcが１．２３［Ｖ］を越えると、中央制御回路９３から昇降圧回路４９に１倍昇圧（ショートモード）、即ち非昇圧動作を行わせるための指令信号が出力される。これにより、昇降圧回路４９は１倍昇圧動作を行い、この１倍昇圧は、充電電圧Ｖcが１．２３［Ｖ］未満となるまで継続される。
この結果、昇降圧後電圧Ｖssは１．２４［Ｖ］以上となり、運針機構ＣS，ＣHMは相変わらず、駆動状態を維持することになる。
さらに、大容量コンデンサ４８の充電電圧Ｖcが２．５［Ｖ］を越えた場合には、リミッタ回路ＬＭがＯＮ状態となる。
【０１１４】
なお、図１２の特性線図では、充電電圧Ｖcの上昇時と下降時で、倍率の範囲×３，×２，×１．５，×１が異なるようにしている。
このように、本実施形態では、電圧検出回路９２で検出した充電電圧Ｖcによって中央制御回路９３では昇降圧回路４９の倍率を設定しているから、電圧検出回路９２を兼用することができ、回路構成を簡略化することができる。
【０１１５】
しかも、後述する残量表示態様を、昇降圧回路４９を制御する指令信号によっても設定することもでき、例えばリミッタ回路ＬＭが作動する場合にはフル充電状態、１倍昇圧であれば２／３充電状態、１．５倍昇圧であれば１／２状態というように設定することも可能である。
【０１１６】
［１・２・９］  残量表示の具体例
図１３に大容量コンデンサ４８の充電電圧Ｖcの残量表示態様について説明するに、本実施形態では、文字盤８０と、該文字盤８０上にステッピングモータ１０を用いて回転可能に配置された秒針５５とによって構成されている（分針７６、時針７７は図示せず）。
【０１１７】
そして、本例では、残量表示態様を、大容量コンデンサ４８の充電電圧Ｖcがフル状態にあるときには、秒針５５の現時刻位置（例えば、０秒位置）を基準として３０秒分回動し（図１３（ａ））、充電電圧Ｖcがフル充電時の２／３にあるときには、秒針５５の現時刻位置を基準として２０秒分回動し（図１３（ｂ））、大容量コンデンサ４８のエネルギ量を表示するようにしている。
【０１１８】
［１・３］  第１実施形態の動作
図１４に基づいて、本実施形態による電子時計１の動作処理を示す。
【０１１９】
まず、制御回路２３は、節電モード中であるか否かを判別する（ステップＳ１１）。このステップＳ１１の判別において、電子時計１が節電動作モード中である場合には（ステップＳ１１；ＹＥＳ）、後述するステップＳ１６の処理に移行する。
【０１２０】
一方、ステップＳ１１の判別において節電モード中ではない、即ち表示モード中である場合には（ステップＳ１１；ＮＯ）、ユーザが強制的に表示モードから節電モードに移行するために、外部入力装置１００（リュウズまたはボタン）を操作したか否かを判別する（ステップＳ１２）。
そして、このステップＳ１２の判別において、ユーザによる外部入力装置１００の操作がない場合には（ステップＳ１２；ＮＯ）、ステップＳ２２に移行して時刻表示を行う。
【０１２１】
一方、ステップＳ１２の判別において、ユーザによる操作が行われた場合には（ステップＳ１２；ＹＥＳ）、ステップＳ１３で電圧検出回路９２から充電電圧Ｖcを検出し、ステップＳ１４で前述した如く、秒針５５を現在位置から所定の量だけ早送りさせて充電電圧Ｖcに対応した表示（例えば、図１３の（ａ））を行うと共に、秒位置カウンタ１０２によって秒針５５の位置をカウントアップする（ステップＳ１５）。そして、節電モードに切換える（ステップＳ１６）。
【０１２２】
さらに、ステップＳ１７では、後述する時刻復帰処理（ステップＳ１９〜Ｓ２１）を行うために、節電モードの経過時間に対応する時刻情報を、時刻カウンタ１０３，１１３によってカウントアップし、発電状態検出部９１によって発電装置４０が発電を開始したか否かを判別する（ステップＳ１８）。
このステップＳ１８の判別において、発電がないと判別した場合には（ステップＳ１８；ＮＯ）、ステップＳ１７の処理を繰り返す。
【０１２３】
また、ステップＳ１８で発電が開始されたと判別した場合には（ステップＳ１８；ＹＥＳ）、節電モードから表示モードに復帰する。この場合、まず、時針７７、分針７６、秒針５５を早送りし（ステップＳ１８）、秒位置カウンタ１０２によって秒針５５の位置をカウントアップし（ステップＳ１９）、さらにステップＳ２１で、秒位置カウンタ１０２のカウンタ値と時刻カウンタ１０３との値が一致するまでステップＳ２０の処理を繰り返す。これにより、早送りによって秒針５５を現時刻に復帰させる。そして、針５５，７６，７７も通常通りに駆動させて時刻表示を行う（ステップＳ２２）。
なお、この処理では、秒針５５についてのみ説明しているが、時針７７、分針７６についても同様である。
【０１２４】
［１・４］  第１実施形態の効果
以上、説明した如く、本実施形態による電子時計１では、ユーザが強制的に該電子時計１の動作モードが表示モードから節電モードに切換えるとき、節電モードに切換わった際の大容量コンデンサ４８の充電電圧Ｖcを、秒針５５の移動によって表示するようにしているから、ユーザは、秒針５５の回動角度によって大容量コンデンサ４８のエネルギ残量を知ることができ、当該電子時計１がどれ位いの期間節電モードを維持することができるかを把握することができる。これにより、ユーザは、充電電圧Ｖcの不足によって電子時計１の動作モードを節電モードから表示モードに切換えた場合に、直ぐに再起動できなくなる等の不安を解消することができる。
【０１２５】
従って、ユーザは、大容量コンデンサ４８に蓄えられている充電電圧Ｖcの量を把握することにより、該大容量コンデンサ４８の充電電圧Ｖcが低くなる前に充電を行うことができ、節電モードから表示モードに切換えたときでも、電子時計１を迅速に再起動することができ、当該電子時計１が故障していると早合点してしまうのを防止することができる。
【０１２６】
［２］  第２実施形態
本実施形態を図１５および図１６に基づいて説明するに、本実施形態の特徴は、節電モード中に秒針を充電電圧Ｖcに対応した位置に固定することにより、エネルギ残量を表示すると共に、常に充電電圧Ｖcを監視して表示するようにしたものである。なお、本実施形態では、前述した第１実施形態と同一の構成要素に同一の符号を付し、その説明を省略するものとする。
【０１２７】
［２・１］  残量表示の具体例
図１５に大容量コンデンサ４８の充電電圧Ｖcの残量表示態様について説明するに、本実施形態では、文字盤８０と、該文字盤８０上にステッピングモータ１０を用いて回転可能に配置された秒針５５とによって構成されている（分針７６、時針７７は図示せず）。
【０１２８】
そして、本実施形態では、残量表示態様を、大容量コンデンサ４８の充電電圧Ｖcがフル状態にあるときには、秒針５５を３０秒位置に固定し（図１５（ａ））、充電電圧Ｖcがフル充電時の２／３にあるときには、秒針５５を２０秒位置に固定し（図１５（ｂ））、大容量コンデンサ４８のエネルギ量を表示するようにしている。
【０１２９】
［２・２］  第２実施形態の動作
図１６に基づいて、本実施形態による電子時計１の動作処理を示す。
【０１３０】
まず、制御回路２３は、節電モード中であるか否かを判別する（ステップＳ１１）。このステップＳ３１の判別において、電子時計１が節電動作モード中である場合には（ステップＳ３１；ＹＥＳ）、後述するステップＳ３６の処理に移行する。
【０１３１】
一方、ステップＳ３１の判別において節電モード中ではない、即ち表示モード中である場合には（ステップＳ３１；ＮＯ）、ユーザが強制的に表示モードから節電モードに移行するために、外部入力装置１００を操作したか否かを判別する（ステップＳ３２）。
そして、このステップＳ３２の判別において、ユーザによる外部入力装置１００の操作がない場合には（ステップＳ３２；ＮＯ）、ステップＳ４３に移行して時刻表示を行う。
【０１３２】
一方、ステップＳ３２の判別において、ユーザによる操作が行われた場合には（ステップＳ３２；ＹＥＳ）、ステップＳ３３で電圧検出回路９２から充電電圧Ｖcを検出し、ステップＳ３４で前述した如く、秒針５５を充電電圧Ｖcに対応した位置まで回動させて表示（例えば、図１５の（ａ））を行うと共に、秒位置カウンタ１０２によって秒針５５の位置をカウントアップする（ステップＳ３５）。そして、節電モードに切換える（ステップＳ３６）。
【０１３３】
また、ステップＳ３７では、後述する時刻復帰処理（ステップＳ４０〜Ｓ４３）を行うために、節電モードの経過時間に対応する時刻情報を、時刻カウンタ１０３，１１３によってカウントアップする。さらに、ステップＳ３８では、充電電圧Ｖcを再び検出し、充電電圧Ｖcが変化したか否かを判定し、変化していない場合には（ステップＳ３８；ＮＯ）ステップＳ３９に移って、発電状態検出部９１によって発電装置４０が発電を開始したか否かを判別する。
このステップＳ３９の判別において、発電がないと判別した場合には（ステップＳ３９；ＮＯ）、ステップＳ３７，Ｓ３８の処理を繰り返す。
【０１３４】
また、ステップＳ３９で発電が開始されたと判別した場合には（ステップＳ３９；ＹＥＳ）、節電モードから表示モードに復帰する。この場合、まず、時針７７、分針７６、秒針５５を早送りし（ステップＳ４０）、秒位置カウンタ１０２によって秒針５５の位置をカウントアップし（ステップＳ４１）、さらにステップＳ４２で、秒位置カウンタ１０２のカウンタ値と時刻カウンタ１０３との値が位置するまステップＳ４１の処理を繰り返す。これにより、早送りによって秒針５５を現時刻に復帰させる。そして、針５５，７６，７７も通常通りに駆動させて時刻表示を行う（ステップＳ４３）。
なお、この処理では、秒針５５についてのみ説明しているが、時針７７、分針７６についても同様である。
【０１３５】
一方、ステップＳ３８の判別において、大容量コンデンサ４８の充電電圧Ｖcが変化した場合には（ステップＳ３８；ＹＥＳ）、秒針５５を回動させて充電電圧Ｖcに対応した表示（例えば、充電電圧Ｖcがフル充電時の２／３になった場合には、図１５の（ｂ））を行う（ステップＳ４４）。さらに、このときの秒針５５の位置に対応したカウンタ分だけ秒位置カウンタ１０２をカウントダウンさせる。そして、ステップＳ３７でリターンさせる。
【０１３６】
このように、本実施形態では、ユーザが動作モードを表示モードから節電モードに強制的に切換えるとき、さらに節電モード中に充電電圧Ｖcが変化したときに、秒針５５の位置によって大容量コンデンサ４８の充電電圧Ｖcを表示することができる。
【０１３７】
［２・３］  第２実施形態の効果
以上、説明した如く、本実施形態による電子時計１では、ユーザが強制的に該電子時計１の動作モードが表示モードから節電モードに切換えるとき、節電モードに切換わった際の大容量コンデンサ４８の充電電圧Ｖcを、秒針５５の位置によって表示するようにしているから、ユーザは、秒針５５の位置によって大容量コンデンサ４８のエネルギ残量を知ることができ、当該電子時計１がどれ位いの期間節電モードを維持することができるかを把握することができる。これにより、ユーザは、充電電圧Ｖcの不足によって電子時計１の動作モードを節電モードから表示モードに切換えた場合に、直ぐに再起動できなくなる等の不安を解消することができる。
【０１３８】
また、本実施形態による電子時計１では、節電モード中であっても、電圧検出回路９２によって大容量コンデンサ４８の充電電圧Ｖcを適宜監視し、この充電電圧Ｖcが予め設定した比率まで低減したときには、秒針５５を予め設定された位置まで回動させて充電電圧Ｖcの充電状態を表示するようにしている。これによって、ユーザは、当該電子時計１をあとどれ位の時間放置しておいてもよいかを把握することができる。
【０１３９】
従って、ユーザは、大容量コンデンサ４８に蓄えられている充電電圧Ｖcの量を把握することにより、該大容量コンデンサ４８の充電電圧Ｖcが低くなる前に充電を行うことができ、節電モードから表示モードに切換えたときでも、電子時計１を迅速に再起動することができ、当該電子時計１が故障していると早合点してしまうのを防止することができる。
【０１４０】
［３］実施形態の変形例
［３・１］  第１変形例
前記各実施形態では、大容量コンデンサ４８の充電電圧Ｖcを秒針５５を用いて表示するようにしたが、本発明はこれに限らず、図１７に示すように、日付の数字が印刷された数字板１１１を用いた日付表示機能１１０を利用して表示するようにしてもよく、例えば、大容量コンデンサ４８がフル充電状態のときには日付を「１０」とし、１／２充電状態のときには「５」とするようにして表示する。これにより、ユーザは針５５，７６，７７が停止している状態をもって節電モードであることを認識し、日付の数字によって充電状態を把握することができる。
また、日付の数字を日付用の数字とは異なった色・フォントを用いた数字板１１１を用意し、充電電圧Ｖcを表示するときには、この数字を用いることによって、表示する事も可能である。
【０１４１】
［３・２］  第２変形例
前記実施形態では、ユーザが外部入力装置１００を操作して強制的に電子時計１の動作モードを表示モードから節電モードに切換える場合について述べたが、本発明はこれに限らず、発電状態検出部９１と非発電状態計測回路９９によって発電を停止している時間を計測し、この時間が所定時間を超えたら自動的に表示モードから節電モードに切換えるようにしてもよい。また、ユーザが電子時計１の動作モードに拘わらず、充電電圧Ｖcを確認することも可能である。
【０１４２】
［３・３］  第３変形例
また、電子時計１には、加速度センサ、熱検出センサ等によって構成される携帯状態検出回路を設け、該携帯状態検出回路により非携帯状態にあることを検出し、このときの非携帯時間を計測して非発電状態を間接的に監視するようにしてもよい。この場合でも、非携帯状態を持続する時間が所定時間経過したときに非携帯状態（非発電状態）として、このときに電子時計１の動作モードを表示モードから節電モードに切換えるようにしてもよい。一方、節電モードから表示モードに切換えるときにも同様に、携帯状態検出回路によって電子時計１が非携帯状態から携帯状態に切換わったときに行うようにしてもよい。
【０１４３】
［３・４］  第４変形例
上記実施形態においては、２つのモータで時分および秒を表示する電子時計１を例に説明しているが、３個以上のモータ（秒針、分針、時針、カレンダ、クロノグラフなどを個別に制御するモータ）を有する電子時計についても本発明の適用が可能である。
【０１４４】
［３・５］  第５変形例
前記実施形態では、秒針５５によって節電モード時の大容量コンデンサ４８の充電電圧Ｖcを表示するようにしたが、本発明はこれに限らず、秒針５５と分針７６との相対位置、秒針５５と時針７７との相対位置、または分針７６と時針７７との相対位置によって充電電圧Ｖcを表示するようにしてもよい。
さらに、時計表示用の指針５５，７６，７７とは別個に専用の表示手段を設けるようにしてもよい。
【０１４５】
［３・６］  第６変形例
上記実施形態では、発電装置４０として、回転錘４５の回転運動をロータ４３に伝達し、該ロータ４３の回転により出力用コイル４４に起電力Ｖgenを発生させる電磁発電装置を採用しているが、本発明はこれに限定されることなく、例えば、ゼンマイの復元力（外部のエネルギーに相当）により回転運動を生じさせ、該回転運動で起電力を発生させる発電装置や、外部或いは自励による振動または変位（外部のエネルギーに相当）を圧電体に加えることにより、圧電効果によって電力を発生させる発電装置であってもよい。
【０１４６】
また、太陽光等の光エネルギー（外部のエネルギーに相当）を利用した光電変換により電力を発生させる発電装置であっても良い。
【０１４７】
さらに、ある部位と他の部位との温度差（熱エネルギー；外部のエネルギーに相当）による熱発電により電力を発生させる発電装置であっても良い。
【０１４８】
また、放送、通信電波などの浮遊電磁波を受信し、そのエネルギー（外部のエネルギーに相当）を利用した電磁誘導型発電装置を用いるように構成することも可能である。
【０１４９】
［３・７］  第７変形例
上記実施形態においては、基準電位（ＧＮＤ）をＶdd（高電位側）に設定したが、基準電位（ＧＮＤ）をＶss（低電位側）に設定してもよいことは勿論である。
【０１５０】
［３・８］  第８変形例
上記実施形態においては、電源として、発電装置による発電電力を蓄電する二次電池、コンデンサなどの充電可能な蓄電装置を用いていたが、一次電池を用いるものでもよく、さらには、充電可能な蓄電装置と一次電池を併用したり、発電装置と一次電池を併用したりするものでも構わない。
【０１５１】
【発明の効果】
本発明によれば、外部入力手段による操作、または自動的に被駆動手段の動作モードを駆動節モードから節電モードに切換える際、エネルギ残量表示手段によって電源手段のエネルギ残量を表示するようにしたから、ユーザはエネルギ残量を把握することができる。例えば、節電モードにある場合には、どれ位の期間節電モード状態を維持することができるかを把握でき、電子時計を放置する際の不安を解消することができる。そして、ユーザはエネルギ残量が余裕のあるうちに、電子時計を節電モードから駆動モードに切換えることによって、当該電子時計を迅速に再起動させることができる。
【図面の簡単な説明】
【図１】  本発明の第１実施形態に係る電子時計の概略構成を示す図である。
【図２】  同実施形態に係る制御回路とその周辺構成を示す機能ブロック図である。
【図３】  昇降圧回路を示す回路構成図である。
【図４】  昇降圧回路の動作説明図である。
【図５】  ３倍昇圧時における昇降圧回路の等価回路図である。
【図６】  ２倍昇圧時における昇降圧回路の等価回路図である。
【図７】  １．５倍昇圧時における昇降圧回路の等価回路図である。
【図８】  直結（１倍昇圧時）における昇降圧回路の等価回路図である。
【図９】  電圧検出回路の概略構成図である。
【図１０】  電圧検出回路の処理を示す流れ図である。
【図１１】  電圧検出回路の動作を示すタイミングチャートである。
【図１２】  昇降圧回路の充電電圧と昇降圧ご電圧との関係を示す特性線図である。
【図１３】  秒針を回動させて大容量コンデンサの充電電圧Ｖcを表示する残量表示態様を示す具体例である。
【図１４】  第１実施形態の動作を示す流れ図である。
【図１５】  第２実施形態による秒針位置によって大容量コンデンサの充電電圧Ｖcを表示する残量表示携帯を示す具体例である。
【図１６】  第２実施形態の動作を示す流れ図である。
【図１７】  第１変形例による日付表示機能によって大容量コンデンサの充電電圧Ｖcを表示する残量表示携帯を示す具体例である。
【符号の説明】
１…電子時計
２３…制御回路
２４…駆動制御回路
３０S…秒針駆動回路
３０HM…時分針駆動回路
４０…発電装置
４５…回転錘
４８…高容量２次電源（大容量コンデンサ）
５５…秒針
７６…分針
７７…時針
９０…モード設定部
９１…発電状態検出部
９２…電圧検出回路
９３…中央制御回路
９４…モード記憶部
１００…外部入力装置
Ａ…発電部
Ｂ…電源部
【図１】
0003654056.tif 000002
【図２】
0003654056.tif 000003
【図３】
0003654056.tif 000004
【図４】
0003654056.tif 000005
【図５】
0003654056.tif 000006
【図６】
0003654056.tif 000007
【図７】
0003654056.tif 000008
【図８】
0003654056.tif 000009
【図９】
0003654056.tif 000010
【図１０】
0003654056.tif 000011
【図１１】
0003654056.tif 000012
【図１２】
0003654056.tif 000013
【図１３】
0003654056.tif 000014
【図１４】
0003654056.tif 000015
【図１５】
0003654056.tif 000016
【図１６】
0003654056.tif 000017
【図１７】
0003654056.tif 000018